(57)【要約】  【課題】本発明は、各店舗に設置され、演奏予約機能を有するカラオケシステムに関し、利用者毎に楽曲の予約要求時に予め歌唱可能時間か否かを認知させて予約の受け付けを行うことで利用者の不満を軽減し、サービスの向上を図ることを目的とする。  【解決手段】利用者にＩＤに対応させて予め退店時刻を退店時刻設定手段４２に設定させておき、所定の利用者がＩＤを特定して楽曲を予約したときに、時刻演算手段４１が予約管理手段１７に予約されている楽曲の総ての演奏時間を特定して、当該予約楽曲を含めた総ての演奏終了時間の予定合計時間を演算すると共に、予約要求時刻に基づいて予約対象楽曲が終了する終了時刻を演算し、比較手段４３が、上記終了時刻が退店時刻を過ぎるか否かを判定して、過ぎないときには当該予約楽曲を記憶させ、過ぎるときにはその旨を表示させる構成とする。  【選択図】  図１
2006208893.tif 000002
【特許請求の範囲】
【請求項１】
歌唱対象の楽曲を予め予約しておく予約管理手段、少なくとも歌唱のための表示手段を含む所定の楽曲歌唱機能を少なくとも備えると共に、利用者の少なくとも識別符号が記憶されて送受信自在なＩＤ媒体を各利用者が所持し、所定の利用者の上記識別符号を含む所定情報を上記ＩＤ媒体より読み取る媒体読取手段が備えられるカラオケシステムであって、
利用者が前記ＩＤ媒体による前記識別符号を用いて設定する退店時刻を記憶しておく退店時刻設定手段と、
所定の利用者が楽曲予約者として前記識別符号を特定して所定の楽曲を予約したときに、前記楽曲歌唱機能により抽出した楽曲の演奏時間を特定すると共に、予め前記予約管理手段に予約、実行されている楽曲の総ての演奏時間を特定することで、当該予約楽曲を含めた総ての演奏終了時間の予定合計時間を演算し、予約対象楽曲が演奏終了する終了時刻を予約要求時刻より演算する時刻演算手段と、
当該楽曲予約者の前記識別符号に基づいて、前記退店時刻設定手段より当該楽曲予約者が設定した退店時刻を抽出し、前記演算した終了時刻が退店時刻を過ぎるか否かを判定し、過ぎないときには当該予約楽曲を前記予約管理手段に記憶させ、過ぎるときにはその旨を前記表示手段に表示させる比較手段と、
を有することを特徴とするカラオケシステム。
【請求項２】
請求項１記載のカラオケシステムであって、前記比較手段は、前記終了時刻が前記退店時刻を過ぎる場合に、予約するかまたは予約キャンセルするかを表示させ、前記予約者が予約を選択したときに前記予約楽曲を前記予約管理手段に記憶させることを特徴とするカラオケシステム。
【発明の詳細な説明】
【技術分野】
【０００１】
本発明は、各店舗に設置され、演奏予約機能を有するカラオケシステムに関する。
【背景技術】
【０００２】
近年、カラオケ店に設置されるカラオケ装置が多機能化しており、歌唱採点、全国的歌唱ランキングの付与サービスや、カラオケ装置付属の遠隔入出力端末がインターネット端末の機能を有するものまである。このように、カラオケ装置が多機能なものであっても、利用者の満足度を向上させる新たなサービス提供も望まれている。
【０００３】
従来、カラオケ装置に付随させた機能として、最終電車が近い利用者や後に約束がある利用者でも安心してカラオケを楽しむことができるようにしたものや、電車やバスの発車時刻が近付いたことをモニタに表示することができるようにしたものなどが、以下の特許文献等で知られている。
【０００４】
【特許文献１】特開平１０−３０１５８７号公報
【特許文献２】特開平１１−１５４８５号公報
【０００５】
上記特許文献１には、最終電車が近い利用者や後に約束がある利用者でも安心してカラオケを楽しむことができるようにさせるために、約束や門限などの予定時刻をカラオケ装置にセットすることで、装置はカラオケ演奏中であっても現在時刻を監視し、この予定時刻が到来したとき、カラオケ演奏を中断して予定時刻が到来した旨をアラームすることなどが開示されている。
【０００６】
また、上記特許文献２には、電車やバスの発車時刻が近付いたことをモニタに表示することができるようにさせるために、駅までの所要時間を交通手段ごとにモニタに表示し、駅および所要時間の選択を検出したときに、上記選択した駅の時刻表をモニタに表示し、発車時刻の選択を検出したときに、上記選択した発車時刻から上記選択した所要時間を減算した時刻を表示時刻に設定することにより、現在時刻が表示時刻になったと判定されたときにメッセージ映像をモニタに表示することが開示されている。
【発明の開示】
【発明が解決しようとする課題】
【０００７】
しかしながら、上記特許文献１，２のいずれであっても、予定時刻や設定表示時刻が到来したときに、その旨のアラームやメッセージ等を表示させるだけのものであり、特に歌唱中に時刻が到来した場合には歌唱を中断しなければならず、利用者の不満が残るという問題がある。
【０００８】
そこで、本発明は上記課題に鑑みなされたもので、利用者毎に楽曲の予約要求時に予め歌唱可能時間か否かを認知させて予約の受付を行うことで利用者の不満を軽減し、サービスの向上を図るカラオケシステムを提供することを目的とする。
【課題を解決するための手段】
【０００９】
上記課題を解決するために、請求項１の発明では、歌唱対象の楽曲を予め予約しておく予約管理手段、少なくとも歌唱のための表示手段を含む所定の楽曲歌唱機能を少なくとも備えると共に、利用者の少なくとも識別符号が記憶されて送受信自在なＩＤ媒体を各利用者が所持し、所定の利用者の上記識別符号を含む所定情報を上記ＩＤ媒体より読み取る媒体読取手段が備えられるカラオケシステムであって、利用者が前記ＩＤ媒体による前記識別符号を用いて設定する退店時刻を記憶しておく退店時刻設定手段と、所定の利用者が楽曲予約者として前記識別符号を特定して所定の楽曲を予約したときに、前記楽曲歌唱機能により抽出した楽曲の演奏時間を特定すると共に、予め前記予約管理手段に予約、実行されている楽曲の総ての演奏時間を特定することで、当該予約楽曲を含めた総ての演奏終了時間の予定合計時間を演算し、予約対象楽曲が演奏終了する終了時刻を予約要求時刻より演算する時刻演算手段と、当該楽曲予約者の前記識別符号に基づいて、前記退店時刻設定手段より当該楽曲予約者が設定した退店時刻を抽出し、前記演算した終了時刻が退店時刻を過ぎるか否かを判定し、過ぎないときには当該予約楽曲を前記予約管理手段に記憶させ、過ぎるときにはその旨を前記表示手段に表示させる比較手段と、を有する構成とする。
【００１０】
請求項２の発明では、前記比較手段は、前記終了時刻が前記退店時刻を過ぎる場合に、予約するかまたは予約キャンセルするかを表示させ、前記予約者が予約を選択したときに前記予約楽曲を前記予約管理手段に記憶させる」構成である。
【発明の効果】
【００１１】
本発明によれば、利用者にＩＤ媒体からの識別符号に対応させて予め退店時刻を設定させておき、所定の利用者が識別符号を特定して所定の楽曲を予約したときに、予約楽曲の演奏時間、および予め予約管理手段に予約、実行されている楽曲の総ての演奏時間を特定して、当該予約楽曲を含めた総ての演奏終了時間の予定合計時間を演算すると共に、予約要求時刻から予約対象楽曲が演奏終了する終了時刻を演算して上記退店時刻を過ぎるか否かを判定するもので、過ぎないときには当該予約楽曲を記憶させ、過ぎるときにはその旨を表示させることにより、利用者毎に楽曲の予約要求時において退店時刻までに歌唱可能時間か否かを認知させた上で予約の受付を行うことから、歌唱途中で不意に退店時刻が到来するという事態を回避させることができ、利用者の不満を軽減させ、サービスの向上を図ることができるものである。
【発明を実施するための最良の形態】
【００１２】
以下、本発明の最良の実施形態を図により説明する。
図１に、本発明に係るカラオケシステムの概念ブロック図を示す。図１に示すカラオケシステム１１は、バス１２、制御手段１３、ＲＡＭ１４、楽曲ＤＢ（データベース）１５、楽曲検索手段１６、予約管理手段１７、予約処理手段１８、映像出力手段２１、表示手段２２、操作制御手段２３、音声入力手段２４、マイク２５、音楽曲出力手段２６、スピーカ２７、表示ファイル作成手段２８、媒体読取手段２９、送受信手段３０および遠隔入出力端末３１を適宜備える。なお、上記構成のうち、予約処理手段１８を除く構成が、当該システムにおける一般的な楽曲歌唱機能となる。
【００１３】
上記制御手段１３は、このシステムを統括的に制御するもので、例えば物理的なＣＰＵに制御のためのプログラムが格納され、当該プログラムはＲＡＭ１４等に展開されて実行される。当該ＲＡＭ１４は、種々のプログラムを展開、実行させるための作業領域としての役割をするものであり、例えば半導体メモリで構成され、仮想的にハードディスク上に構築される場合をも含む概念である。
【００１４】
上記楽曲ＤＢ１５は、例えばハードディスク（ＨＤＤ）等の記憶装置であり、少なくとも、楽曲元データ（ファイル）、楽曲コード（テーブル）および映像データ（ファイル）を備える。楽曲元データ（ファイル）は、楽曲コード毎にデジタル的な楽曲データおよび演奏時間を保存するもので、当該楽曲（ファイル）コードは楽曲コードと楽曲名が関連付けられている。映像データ（ファイル）は、楽曲（コード）に対応した背景等の映像データを保存する。
【００１５】
上記楽曲検索手段１６は、例えば新曲、歌手名、曲名、ジャンルおよび履歴のそれぞれについて、上記楽曲ＤＢ１５に記憶されている楽曲を検索するためのもので、そのためのプログラムがＲＡＭ１４に展開されて実行される。上記予約管理手段１７は、利用者（予約者）が予約した楽曲を記憶しておき、順番に歌唱対象とするもので（図３で詳述する）、そのためのメモリ領域を備え、当該メモリ領域に記憶されるデータは上記制御手段１３により制御される。
【００１６】
上記予約処理手段１８は、利用者（予約者）からの楽曲予約を受け付けるか否か等の処理を行うもので、そのための時刻演算手段４１、退店時刻設定手段４２および比較手段４３を備える。上記時刻演算手段４１は、所定の利用者が楽曲予約者として後述のＩＤ媒体（３２）によるＩＤ（識別符号）を特定して所定の楽曲を予約したときに、楽曲歌唱機能の楽曲検索手段１６で抽出した楽曲の演奏時間を特定すると共に、予め予約管理手段に予約、実行されている楽曲の総ての演奏時間を特定することで、当該予約楽曲を含めた総ての演奏終了時間の予定合計時間を演算し、予約対象楽曲が演奏終了する終了時刻を予約要求時刻より演算するものであり、そのためのプログラムがＲＡＭ１４に展開されて実行される。
【００１７】
上記退店時刻設定手段４２は、予め利用者が当該システム設置の利用に際してＩＤ媒体に基づいて退店時刻を設定させることで記憶しておくもので、そのためのプログラムがＲＡＭ１４に展開されて実行される。
【００１８】
上記比較手段４３は、楽曲予約者のＩＤに基づいて、退店時刻設定手段４２より当該楽曲予約者が設定した退店時刻を抽出し、演算した終了時刻が退店時刻を過ぎるか否かを判定し、過ぎないときには当該予約楽曲を予約管理手段１７に記憶させ、過ぎるときにはその旨を後述の表示手段２２に表示させるもので、そのためのプログラムがＲＡＭ１４に展開されて実行される。また、上記終了時刻が退店時刻を過ぎる場合に、予約するかまたは予約キャンセルするかを表示させ、当該予約者が予約を選択したときに当該予約楽曲を予約管理手段１７に記憶させるものとして、そのためのプログラムがＲＡＭ１４に展開されて実行される。
【００１９】
上記映像出力手段２１は、後述の遠隔入出力端末３１に種々の表示をさせるための映像を後述の送受信手段３０を介して出力すると共に、選択された楽曲コードに対応した映像データを当該楽曲に同期させて表示手段２２に出力するもので、そのためのプログラムがＲＡＭ１４に展開されて実行される。遠隔入出力端末３１はＧＵＩ機能を付帯し、例えば液晶ディスプレイ（ＬＣＤ）とタッチセンサとを積層した入出力用の利用者インタフェイスが搭載され、当該タッチセンサにより楽曲の選択などのデータを入力することができるものである。そして、操作制御手段２３は、当該タッチセンサからの入力データを制御するもので、そのためのプログラムがＲＡＭ１４に展開されて実行される。
【００２０】
上記音声入力手段２４は、マイク２５からのアナログ音声データをＡ／Ｄコンバータ（図示省略）を介してデジタル変換する処理を主体とし、上記音楽曲出力手段２６は、楽曲ＤＢ１５より抽出された楽曲の楽曲元データをデジタル再生してアナログ変換すると共に、上記マイク２５からのデジタル音声データをアナログ変換し、ミキシングしてスピーカ２７に出力する。
【００２１】
上記表示ファイル作成手段２８は、当該システム１１やその付帯する遠隔入出力端末３１において、利用者の選曲等を表示手段２２に表示させるためのファイルデータを転送するもので、そのためのプログラムがＲＡＭ１４に展開されて実行される。上記媒体読取手段２９は、利用者が所持するＩＤ媒体３２を読み取る装置である。ＩＤ媒体３２は、少なくとも利用者のＩＤを記憶し、上記媒体読取手段２９と例えば非接触でデータ授受が自在のものである。ＩＤ媒体３２としては、例えば、非接触型のＩＣカードや、携帯電話や小型モバイルコンピュータに内蔵させたＩＣカード機能回路等がある。
【００２２】
上記送受信手段３０は、遠隔入出力端末３１との間で有線方式ないし無線方式（ブルートゥース機構のピコネット接続方式）を利用してデータ授受を行うためのもので、そのための回路基板およびプログラムを備える。当該遠隔入出力端末３１はカラオケに関するものや、インターネット接続による情報収集等の種々の操作および表示が可能であり、上記操作制御手段２３によって当該操作信号が制御される。
【００２３】
そこで、図２に、図１のカラオケシステムにおける楽曲予約処理のフローチャートを示す。また、当該フローチャートに関連して、図３に図１の予約管理手段における楽曲の予約の一例の説明図を示し、図４に図１の予約処理手段における予約判定処理の説明図を示し、図５に図４の予約判定処理の予約受付判定結果表示の説明図を示す。
【００２４】
図２において、まず、システム利用者が歌唱前に所持するＩＤ媒体３２を媒体読取手段２９にセットしたときに、当該利用者のＩＤ（識別符号）を取り込み、当該利用者に対して退店時刻を設定させることで入力した当該退店時刻を予約処理手段１８の退店時刻設定手段４２に設定して記憶する（ステップ（Ｓ１））。
【００２５】
そこで、楽曲予約者が、自己のＩＤを特定して歌唱を希望する楽曲（楽曲コード）を遠隔入出力端末３１より入力すると、予約管理手段１７が予約対象楽曲の楽曲コードを受付け、当該楽曲予約者のＩＤを特定する（Ｓ２）。そして、楽曲検索手段１６が予約対象の楽曲コードから楽曲検索手段で楽曲ＤＢ１５より楽曲を検索し、当該楽曲の楽曲データおよび演奏時間データを抽出する（Ｓ３）。
【００２６】
続いて、予約処理手段１８の時刻演算手段４１が、予約管理手段１７より、総予約楽曲合計時間として、現在の演奏中楽曲の残り時間、および予約待ち楽曲総ての楽曲の演奏時間データを読み出し、当該予約対象楽曲の演奏時間を加えた予定合計時間を演算する（Ｓ４）。当該予約管理手段１７には、例えば、図３に示すように、予約順番、曲名、演奏時間（残り時間）および演奏状態が記憶されている。図３の一例では、予約順番１は実行中（演奏中）であり、カウントダウンされている状態で、楽曲の予約要求時点での残り時間が特定され、これに予約待ちの楽曲（予約順番２〜５）の演奏時間が加えられて、上記予定合計時間が演算される（図４（Ａ））。また、時刻演算手段４１において、予約要求時刻および演算した予定合計時間から当該予約対象楽曲が演奏終了する終了時刻を演算する（Ｓ５、図４（Ｂ））。
【００２７】
そこで、予約処理手段１８の比較手段４３が、特定したＩＤに基づいて、退店時刻設定手段４２に設定されている当該予約者の退店時刻を抽出し、終了時刻と比較する（Ｓ６）。そして、終了時刻が退店時刻を過ぎるか否かを判定し（Ｓ７）、判定の結果（Ｓ８）、終了時刻が退店時刻を過ぎない場合には（図４（Ｃ））、予約を受け付け、当該予約要求の楽曲名、演奏時間および状態（予約待ち）を予約管理手段１７の次の順番に記憶させる（Ｓ９）。
【００２８】
一方、判定の結果（Ｓ８）、終了時刻が退店時刻を過ぎる場合には（図４（Ｃ））、とりあえず予約を拒否し、表示手段２２に、当該予約対象楽曲の演奏終了時刻が退店時刻を超えることを表示させると共に、予約するか否かを選択させるための表示をさせる（Ｓ１０）。例えば、図５に示すように、退店時刻を過ぎる旨の表示を行わせ、それでも予約するか否かを予約者に選択させる。
【００２９】
予約者によって、予約が選択された場合には（Ｓ１１）、予約を受け付け、当該予約要求の楽曲名、演奏時間および状態（予約待ち）を予約管理手段１７の次の順番に記憶させる（Ｓ９）。また、予約キャンセルが選択された場合には、予約は行われずに終了するものである。
【００３０】
このように、利用者毎に楽曲の予約要求時に、当該楽曲が予約者の設定した退店時刻までに歌唱可能時間か否かを認知させた上で予約の受け付けを行うことから、歌唱途中で不意に退店時刻が到来するという事態を回避させることができるもので、利用者の不満を軽減させることができ、サービスの向上を図ることができるものである。
【産業上の利用可能性】
【００３１】
本発明のカラオケシステムは、カラオケボックス等のカラオケ歌唱店舗に設けられるのに適する。
【図面の簡単な説明】
【００３２】
【図１】本発明に係るカラオケシステムの概念ブロック図である。
【図２】図１のカラオケシステムにおける楽曲予約処理のフローチャートである。
【図３】図１の予約管理手段における楽曲の予約の一例の説明図である。
【図４】図１の予約処理手段における予約判定処理の説明図である。
【図５】図４の予約判定処理の予約受付判定結果表示の説明図である。
【符号の説明】
【００３３】
１１            カラオケシステム
１５            楽曲ＤＢ（データベース）
１７            予約管理手段
１８            予約処理手段
３１            遠隔入出力端末
３２            ＩＤ媒体
４１            時刻演算手段
４２            退店時刻設定手段
４３            比較手段
【図１】
2006208893.tif 000003
【図２】
2006208893.tif 000004
【図３】
2006208893.tif 000005
【図４】
2006208893.tif 000006
【図５】
2006208893.tif 000007